(57)【特許請求の範囲】
【請求項１】
外壁パネル２と内壁部３との間に通気層４を設けており、
外壁パネル２の下端部を受け止めるスタータ５と、基礎７の上面に沿って内壁部３側から外壁パネル２の外方へ向けて延びる水切り８との間に通気隙間９を設けて、通気隙間９と通気層４とを連通させており、
縦胴縁６を、通気層４内に配置した状態で内壁部３に固定して、当該縦胴縁６にスタータ５を固定する壁体内通気構法における壁体構造において、
縦胴縁６の下側に、横幅Ｗ１が縦胴縁６の横幅Ｗ２よりも大きい遮水板１１を配置しており、
遮水板１１は、縦胴縁６の下端面に対面することで当該下端面を覆う遮水部１１ｂと、遮水部１１ｂの内壁部３側の端部から上方へ向けて延びて、内壁部３に固定される固定部１１ａと、遮水部１１ｂの内壁部３側の端部から下方へ向けて延びる高さ位置決め部１１ｄと、遮水部１１ｂの外壁パネル２側の端部から外方へ延びてスタータ５の下端面５ｂを受け止める受け止め部１１ｃとを有しており、
遮水板１１は、高さ位置決め部１１ｄの下端を水切り８上に当接させた状態で固定されることを特徴とする壁体内通気構法における壁体構造。
【請求項２】
スタータ５の下端面５ｂは、外壁パネル２の外方へ向かうに従って低くなる下り傾斜になっており、
遮水板１１の受け止め部１１ｃが、スタータ５の下端面５ｂの傾斜に応じて下り傾斜になっている請求項１記載の壁体内通気構法における壁体構造。  
【発明の詳細な説明】
【０００１】
【発明の属する技術分野】
本発明は、壁体を構成する外壁パネルと内壁部との間に通気層を設けて通気する壁体内通気構法における壁体構造に関する。
【０００２】
【従来の技術】
住宅などでは、水蒸気を多く含んだ室内の空気が、壁体を通り抜けて屋外に流れ出ようとするが、その一部は外壁パネルに阻まれて壁体内に止まり、これが屋内と屋外との温度差によって結露する。そして、この露が断熱材に付着して断熱性能を低下させたり、内壁部の柱などに付着して腐朽させていた。この対策として、外壁パネルと内壁部との間に通気層を設けて通気する、いわゆる通気構法によって壁体内での結露を防止していた。
【０００３】
【発明が解決しようとする課題】
前記通気構法にあっては、縦胴縁を通気層内に配置しており、この縦胴縁に外壁パネルの下端部を受け止めるスタータを固定している。また、スタータと基礎上に設けた水切りとの間に通気隙間を設けており、この通気隙間から通気層内に外気が流れ込むようにしている。
【０００４】
このため、通気隙間から雨水が入り込んで縦胴縁の下端部を濡らし、縦胴縁が腐朽するところに問題があった。また、壁体内での結露を確実に防止しようとすると、通気層に十分な外気を流し込ませる必要があるが、通気隙間の上下方向の幅は、通気隙間から壁体内への雨水などの侵入を防止するために７mm程度と小さく設定しており、これに合わせてスタータの高さ方向の位置を合わせることが容易ではないところに問題があった。
【０００５】
この場合、縦胴縁の下端部の防水のための部材と、スタータの高さ方向の位置決めのための部材とを別々に設けることも考えられるが、これでは、部材数が多くなる分だけ、作業の手間が増えるとともに部材の管理に手間が掛かるところに問題がある。
【０００６】
本発明の目的は、ひとつの部材で、通気層内の縦胴縁が濡れて腐朽することを防止できるうえ、スタータの高さ方向の位置決めができる壁体内通気構法における壁体構造を得ることにある。
【０００７】
【課題を解決するための手段】
本発明が対象とする壁体内通気構法における壁体構造は、外壁パネル２と内壁部３との間に通気層４を設けており、外壁パネル２の下端部を受け止めるスタータ５と、基礎７の上面に沿って内壁部３側から外壁パネル２の外方へ向けて延びる水切り８との間に通気隙間９を設けて、通気隙間９と通気層４とを連通させており、縦胴縁６を、通気層４内に配置した状態で内壁部３に固定して、当該縦胴縁６にスタータ５を固定するようになっている。
【０００８】
縦胴縁６の下側には遮水板１１を配置している。この遮水板１１は、縦胴縁６の下端面に対面する遮水部１１ｂと、遮水部１１ｂの内壁部３側の端部から上方へ向けて延びて、内壁部３に固定される固定部１１ａと、遮水部１１ｂの内壁部３側の端部から下方へ向けて延びる高さ位置決め部１１ｄと、遮水部１１ｂの外壁パネル２側の端部から外方へ延びてスタータ５の下端面５ｂを受け止める受け止め部１１ｃとを有している。そして、遮水板１１は、高さ位置決め部１１ｄの下端を水切り８上に当接させた状態で固定されるようになっている。
【０００９】
具体的に説明すると、スタータ５の下端面５ｂは、外壁パネル２の外方へ向かうに従って低くなる下り傾斜になっている。一方、遮水板１１の受け止め部１１ｃが、スタータ５の下端面５ｂの傾斜に応じて下り傾斜になっている。また、遮水板１１の横幅Ｗ１を、縦胴縁６の横幅Ｗ２よりも大きくしている。
【００１０】
【発明の作用効果】
本発明の壁体内通気構法における壁体構造では、遮水板１１の高さ位置決め部１１ｄの下端を水切り８上に当接させた状態（図１の状態）で、遮水板１１の固定部１１ａを内壁部３に固定する。この際、遮水板１１の遮水部１１ｂに縦胴縁６の下端面を対面させておく。次に、スタータ５の下端面５ｂを遮水板１１の受け止め部１１ｃで受け止めさせた状態でスタータ５を縦胴縁６に固定する。この後、スタータ５によって外壁パネル２の下端部を受け止めさせて、外壁パネル２を保持する。
【００１１】
これにより、遮水板１１によって、通気隙間９から通気層４内に侵入した雨水などから縦胴縁６を遮水でき、縦胴縁６が濡れて腐朽することを確実に防止できる。しかも、遮水板１１によって、水切り８に対するスタータ５の高さ方向の位置決めができるので、スタータ５と水切り８との間に形成される通気隙間９の上下方向の幅が適正に設定される。
【００１２】
従って、他に通気口などを設けなくても、通気隙間９から通気層４内に外気を十分に送ることができて、壁体１内の結露を確実に防止できる。また、各縦胴縁６に配置される遮水板１１によって、スタータ５の水切り８に対する高さ方向の位置が決まるので、水切り８の水平レベルを設定するだけで、外壁パネル２の適正な水平レベルを確実に得ることができる。しかも、遮水板１１を配置するだけでよいため、作業性がよいことになる。
【００１３】
そして、この遮水効果と、スタータ５の高さ方向の位置決め効果とをひとつの遮水板１１で得られるので、部材の個数を減らすことができて、建築コストの低減を図れるうえ、確実な通気構法の施工を実施することができる。
【００１４】
スタータ５の下端面５ｂが下り傾斜であるとともに、遮水板１１の受け止め部１１ｃが、スタータ５の下端面５ｂの傾斜に応じて下り傾斜になっていると、スタータ５の下端面５ｂ上に入り込んだ雨水が屋内側へ流れないようにできるうえ、そのスタータ５の下端面５ｂに遮水板１１の受け止め部１１ｃが確実に面接触できて、遮水板１１の受け止め部１１ｃによってスタータ５を的確に受け止めることができる。
【００１５】
遮水板１１の横幅Ｗ１が、縦胴縁６の横幅Ｗ２よりも大きいと、通気隙間９から通気層４内に侵入した雨水などが、縦胴縁６の横方向から縦胴縁６の下端面や下部周面に降りかかることを確実に防止できる。
【００１６】
【発明の実施の形態】
図１ないし図４は、本発明に係る壁体内通気構法における壁体構造を例示している。図１に示すごとく壁体１は、外壁パネル２および内壁部３を有するとともに、外壁パネル２と内壁部３との間に通気層４を設けてある。
【００１７】
外壁パネル２は、石膏ボードなどの断熱材２ａを金属製の表面板２ｂで覆う構造になっている。内壁部３は、図２に示すごとく、間柱などの柱３ａと、柱３ａ間に配置したグラスウールやプラスチック発泡板などからなる断熱材３ｂとを有している。内壁部３の屋内側（図２では右側）には防湿シートや内装材（図示せず）が設けられており、内壁部３の屋外側には透湿防水シート３ｃが設けられている。
【００１８】
外壁パネル２の下端部はスタータ５に受け止め支持されており、スタータ５は、通気層４内に配置された縦胴縁６に固定されている。縦胴縁６は、木材や金属などで形成されており、内壁部３の柱３ａにビスや釘などで固定されている。外壁パネル２および通気層４の下側の基礎７上には、水切り８が配置されており、この水切り８は内壁部３の柱３ａに固定されている。スタータ５と水切り８との間には、所定の上下幅を有する通気隙間９を設けてあり、この通気隙間９が通気層４に連通している。そして、通気隙間９から外気が通気層４内に流れ込むことで、通気層４内が換気される。通気隙間９の上下幅は、例えば７mm程度にしてある。
【００１９】
外壁パネル２の表面板２ｂは、パネル下縁において板面をＵ字状に折り曲げることにより、嵌合凹部２ｃを形成してある。スタータ５は、鋼板などの金属板を折り曲げることで形成されており、図１に示すごとく、上下方向に延びて縦胴縁６にビスや釘などで固定される固定部５ａと、固定部５ａの下端から屋外側（図１では左側）に連設された下端面５ｂと、下端面５ｂの先端（図１では左端）から上向きに連設された封止部５ｃとを有する。そして、封止部５ｃの上部が、外壁パネル２の嵌合凹部２ｃ内に入り込むようになっている。この嵌合凹部２ｃの奥部には防水パッキン２ｄを配置して、外壁パネル２とスタータ５との間から雨水が壁体１内に侵入することを防いでいる。固定部５ａの上端部は、外壁パネル２側にＵ字状に折り曲げられている。
【００２０】
スタータ５の下端面５ｂは、屋外側（外壁パネル２の外方）へ向かうに従って低くなる下り傾斜になっており、下端面５ｂの上側に入り込んだ雨水が屋内側へ流れないようにしている。そして、スタータ５の下端面５ｂの上側によって外壁パネル２の下端が受け止められる。
【００２１】
水切り８は、鋼板などの金属板を折り曲げることで形成されており、上下方向に延びて内壁部３の柱３ａにビスや釘などで固定される固定部８ａと、固定部８ａの下端から屋外側に連設されて基礎７の前部上面側（図１では左上側）を覆う傾斜面部８ｂと、傾斜面部８ｂの先端から下向きに連設されて基礎７の前面側を覆う垂直面部８ｃとを有する。つまり、水切り８の傾斜面部８ｂは、基礎７の上面に沿って内壁部３側から外壁パネル２の外方へ向けて延びているとともに、屋外側へ向かうに従って低くなる下り傾斜になっており、雨水を屋外側へ排水するようになっている。垂直面部８ｃの下端部は、屋内側へ折り曲げられて水切りするようになっている。なお傾斜面部８ｂは、階段状の傾斜面に形成することもできる。
【００２２】
縦胴縁６の下側には、本発明の遮水板１１が配置される。遮水板１１は、通気隙間９から通気層４内に侵入した雨水から縦胴縁６を遮水（遮蔽）するとともに、スタータ５の高さ方向の位置決めを行なうために配置される。
【００２３】
つまり、遮水板１１は、図３に示すごとく、アルミニウム板などの金属板を折り曲げることで形成されており、図１に示すごとく上下方向に延びて内壁部３の柱３ａにビスや釘などで固定される固定部１１ａと、固定部１１ａの下端から屋外側に連設されて、縦胴縁６の下端面に対面することで当該下端面を覆う遮水部１１ｂと、遮水部１１ｂの先端から屋外側に連設されて、スタータ５の下端面５ｂが面接触状に当接する受け止め部１１ｃと、固定部１１ａの下端から下方へ所定長さＬ（図３）だけ延びる高さ位置決め部１１ｄとを有する。
【００２４】
図４に示すごとく遮水板１１の横幅Ｗ１は、縦胴縁６の横幅Ｗ２よりも大きくなっている。遮水板１１の受け止め部１１ｃは、スタータ５の下端面５ｂの傾斜角度に合わせた下り傾斜になっている。遮水板１１は、例えば合成樹脂で形成してもよい。
【００２５】
遮水板１１およびスタータ５などは次のようにして取り付けられる。水切り８の傾斜面部８ｂを基礎７の前部上面に載せた状態で、水切り８を内壁部３の柱３ａに固定したのち、内壁部３および水切り８の固定部８ａの外側を覆うように透湿防水シート３ｃを装着する。次いで、遮水板１１の高さ位置決め部１１ｄの下端を、水切り８の傾斜面部８ｂ上の最奥側に当接させた状態（図１の状態）で、遮水板１１を内壁部３の柱３ａに固定する。
【００２６】
そして、遮水板１１の遮水部１１ｂの上側に縦胴縁６の下端面を対面させた状態で縦胴縁６を内壁部３の柱３ａに固定する。なお、図４に示すごとく遮水板１１の横幅方向の中央部に、縦胴縁６が位置するようにしてあり、これによって通気隙間９から通気層４内に侵入した雨水が、縦胴縁６の横方向から縦胴縁６の下端面や下部周面に降りかかることを防止している。
【００２７】
次に、スタータ５の下端面５ｂを、遮水板１１の受け止め部１１ｃに受け止めさせる。これによって水切り８に対するスタータ５の高さ方向の位置が決まる。この状態でスタータ５を縦胴縁６に固定する。この後、スタータ５の封止部５ｃが外壁パネル２の嵌合凹部２ｃ内に入り込む状態で、外壁パネル２の下端部がスタータ５の下端面５ｂによって受け止められて、外壁パネル２がスタータ５に保持固定される。
【００２８】
このように、遮水板１１によって、通気隙間９から侵入する雨水から縦胴縁６を遮水できる。しかも、遮水板１１によって、水切り８に対するスタータ５の高さ方向の位置決めができるので、スタータ５と水切り８とによって形成される通気隙間９の上下方向の幅が適正になる。そして、これらの遮水効果と、スタータ５の高さ方向の位置決め効果とをひとつの遮水板１１で得られるので、部材の個数を減らすことができる。
【図面の簡単な説明】
【図１】本発明に係る壁体内通気構法における壁体構造の縦断面図である。
【図２】本発明の壁体構造の要部を示す斜視断面図である。
【図３】本発明に係る遮水板の縦断面図である。
【図４】遮水板と縦胴縁との位置関係を示す正面図である。
【符号の説明】
１  壁体
２  外壁パネル
３  内壁部
４  通気層
５  スタータ
５ｂ  下端面
６  縦胴縁
７  基礎
８  水切り
９  通気隙間
１１  遮水板
１１ａ  固定部
１１ｂ  遮水部
１１ｃ  受け止め部
１１ｄ  高さ位置決め部
Ｗ１  遮水板の横幅
Ｗ２  縦胴縁の横幅
【図１】
0003654829.tif 000002
【図２】
0003654829.tif 000003
【図３】
0003654829.tif 000004
【図４】
0003654829.tif 000005